(57)【特許請求の範囲】
【請求項１】
無線端末と、
前記無線端末との無線通信を行う無線基地局と、
前記無線端末の位置を示す位置情報と、前記無線端末と前記無線基地局との間の下りリンクの無線品質の測定結果を示す下りリンク無線品質情報と、前記無線端末と前記無線基地局との間の上りリンクの無線品質の測定結果を示す上りリンク無線品質情報とを収集する情報収集装置と
を備え、
前記無線端末は、前記無線端末が発呼を行う際に、前記下りリンクの無線品質を測定し、
前記無線基地局は、前記無線端末が発呼を行う際に、前記上りリンクの無線品質を測定し、前記無線端末が所要の性能以上の端末性能を有する特定端末であることを示す通知を前記情報収集装置から受信した場合、前記無線端末の測定情報を収集する無線通信システム。
【請求項２】
無線基地局との無線通信を行う無線端末であって、
発呼を行う発呼処理部と、
前記無線基地局との間の下りリンクの無線品質と、前記無線端末の位置とを測定する端末側測定部と、
前記測定された位置を示す位置情報と、前記測定された下りリンクの無線品質を示す下りリンク無線品質情報とを前記無線基地局に送信する端末側送信部と
を備え、
前記端末側測定部は、前記発呼処理部が前記発呼を行う際に、前記下りリンクの無線品質を測定し、前記無線端末の位置を示す位置情報と、前記無線端末と前記無線基地局との間の下りリンクの無線品質の測定結果を示す下りリンク無線品質情報と、前記無線端末と前記無線基地局との間の上りリンクの無線品質の測定結果を示す上りリンク無線品質情報とを収集する情報収集装置から前記無線端末が所要の性能以上の端末性能を有する特定端末であることを示す通知を受信した前記無線基地局から送信される測定情報の要求を受信した場合、前記位置を測定する無線端末。
【請求項３】
無線端末との無線通信を行う無線基地局であって、
前記無線端末との間の上りリンクの無線品質を測定する基地局側測定部と、
前記無線端末の位置を示す位置情報と、前記無線端末によって測定された下りリンクの無線品質を示す下りリンク無線品質情報とを前記無線端末から受信する基地局側受信部と、
前記基地局側測定部によって測定された上りリンクの無線品質を示す上りリンク無線品質情報と、前記位置情報と、前記下りリンク無線品質情報とを情報収集装置に送信する基地局側送信部と
を備え、
前記基地局側測定部は、前記無線端末が発呼を行う際に、前記上りリンクの無線品質を測定し、前記無線端末が所要の性能以上の端末性能を有する特定端末であることを示す通知を前記情報収集装置から受信した場合、前記無線端末の測定情報を収集する無線基地局。
【請求項４】
無線端末が発呼を行うステップと、
前記無線端末が、前記発呼を行う際に、無線基地局との間の下りリンクの無線品質を測定するステップと、
前記無線基地局が、前記無線端末が前記発呼を行う際に、前記無線端末との間の上りリンクの無線品質を測定するステップと、
情報収集装置が、前記無線端末の位置を示す位置情報と、前記下りリンクの無線品質の測定結果を示す下りリンク無線品質情報と、前記上りリンクの無線品質の測定結果を示す上りリンク無線品質情報とを収集するステップと、
前記無線基地局が、前記無線端末が所要の性能以上の端末性能を有する特定端末であることを示す通知を前記情報収集装置から受信した場合に、前記無線端末の測定情報を収集するステップと、
を含む情報収集方法。
【発明の詳細な説明】
【技術分野】
【０００１】
本発明は、被測定エリア内の位置を示す位置情報と当該位置における無線品質を示す無線品質情報とを収集する無線通信システム、無線端末、無線基地局、及び情報収集方法に関する。
【背景技術】
【０００２】
従来、無線通信システムにおいては、被測定エリア内の位置を示す位置情報と当該位置における無線品質（例えば受信信号強度）を示す無線品質情報とを人手により収集し、被測定エリア内の不感地帯や弱電界地帯を把握することが行われている。例えば、測定員が、無線品質を測定するための機材と、位置を測定するための機材（ＧＰＳ等）とを測定車両を用いて運搬し、位置情報と無線品質情報とを収集している。
【０００３】
このような測定員による収集方法は、機材に要する費用や、測定員の人件費及び工数が膨大なものになる問題がある。このため、収集作業を自動化することによって当該問題の解決を図る方法が提案されている（例えば、特許文献１参照）。具体的には、ユーザの無線端末を利用して被測定エリアにおける位置及び無線品質を測定し、ネットワーク側に設けられた情報収集装置が測定結果を収集する。
【先行技術文献】
【特許文献】
【０００４】
【特許文献１】特開２００８−２２０６５号公報
【発明の概要】
【発明が解決しようとする課題】
【０００５】
しかしながら、ユーザの無線端末を利用した収集方法においては、理想的な測定条件で無線品質の測定を行うことが保証されない。例えば、無線端末が鞄の中にしまい込まれているような状況下では、当該無線端末を利用して測定される無線品質は、本来測定されるべき無線品質よりも低いものとなる。
【０００６】
したがって、ユーザの無線端末を利用した収集方法では、正確な無線品質情報を収集することが難しいという問題があった。
【０００７】
そこで、本発明は、ユーザの無線端末を利用する場合であっても、正確な無線品質情報を収集できる無線通信システム、無線端末、無線基地局、及び情報収集方法を提供することを目的とする。
【課題を解決するための手段】
【０００８】
上述した課題を解決するために、本発明は以下のような特徴を有している。まず、本発明の第１の特徴は、無線端末（例えば無線端末１００ａ）と、前記無線端末との無線通信を行う無線基地局（例えば無線基地局２００ａ）と、前記無線端末の位置を示す位置情報と、前記無線端末と前記無線基地局との間の下りリンクの無線品質の測定結果を示す下りリンク無線品質情報と、前記無線端末と前記無線基地局との間の上りリンクの無線品質の測定結果を示す上りリンク無線品質情報とを収集する情報収集装置（情報収集装置３００）とを備え、前記無線端末は、前記無線端末が発呼を行う際に、前記下りリンクの無線品質を測定し、前記無線基地局は、前記無線端末が発呼を行う際に、前記上りリンクの無線品質を測定し、前記無線端末が所要の性能以上の端末性能を有する特定端末であることを示す通知を前記情報収集装置から受信した場合、前記無線端末の測定情報を収集することを要旨とする。
【０００９】
このような特徴によれば、下りリンク及び上りリンクそれぞれの無線品質が発呼時において測定される。このため、無線端末が鞄の中にしまい込まれているような状況下で無線品質が測定されることを回避でき、理想的な測定条件で無線品質の測定を行うことが保証される。したがって、ユーザの無線端末を利用する場合であっても、正確な無線品質情報を収集できる。
【００１１】
本発明の第２の特徴は、無線基地局（例えば無線基地局２００ａ）との無線通信を行う無線端末（例えば無線端末１００ａ）であって、発呼を行う発呼処理部（発呼処理部１３１）と、前記無線基地局との間の下りリンクの無線品質と、前記無線端末の位置とを測定する端末側測定部（位置測定部１３２、無線品質測定部１３３）と、前記測定された位置を示す位置情報と、前記測定された下りリンクの無線品質を示す下りリンク無線品質情報とを前記無線基地局に送信する端末側送信部（無線通信部１１０）とを備え、前記端末側測定部は、前記発呼処理部が前記発呼を行う際に、前記下りリンクの無線品質を測定し、前記無線端末の位置を示す位置情報と、前記無線端末と前記無線基地局との間の下りリンクの無線品質の測定結果を示す下りリンク無線品質情報と、前記無線端末と前記無線基地局との間の上りリンクの無線品質の測定結果を示す上りリンク無線品質情報とを収集する情報収集装置（情報収集装置３００）から前記無線端末が所要の性能以上の端末性能を有する特定端末であることを示す通知を受信した前記無線基地局から送信される測定情報の要求を受信した場合、前記位置を測定することを要旨とする。
【００１２】
本発明の第３の特徴は、無線端末（例えば無線端末１００ａ）との無線通信を行う無線基地局（例えば無線基地局２００ａ）であって、前記無線端末との間の上りリンクの無線品質を測定する基地局側測定部（無線品質測定部２３１）と、前記無線端末の位置を示す位置情報と、前記無線端末によって測定された下りリンクの無線品質を示す下りリンク無線品質情報とを前記無線端末から受信する基地局側受信部（無線通信部２１０）と、前記基地局側測定部によって測定された上りリンクの無線品質を示す上りリンク無線品質情報と、前記位置情報と、前記下りリンク無線品質情報とを情報収集装置に送信する基地局側送信部（有線通信部２２０）とを備え、前記基地局側測定部は、前記無線端末が発呼を行う際に、前記上りリンクの無線品質を測定し、前記無線端末が所要の性能以上の端末性能を有する特定端末であることを示す通知を前記情報収集装置（情報収集装置３００）から受信した場合、前記無線端末の測定情報を収集することを要旨とする。
【００１３】
本発明の第４の特徴は、無線端末が発呼を行うステップと、前記無線端末が、前記発呼を行う際に、無線基地局との間の下りリンクの無線品質を測定するステップと、前記無線基地局が、前記無線端末が前記発呼を行う際に、前記無線端末との間の上りリンクの無線品質を測定するステップと、情報収集装置が、前記無線端末の位置を示す位置情報と、前記下りリンクの無線品質の測定結果を示す下りリンク無線品質情報と、前記上りリンクの無線品質の測定結果を示す上りリンク無線品質情報とを収集するステップと、前記無線基地局が、前記無線端末が所要の性能以上の端末性能を有する特定端末であることを示す通知を前記情報収集装置から受信した場合に、前記無線端末の測定情報を収集するステップと、を含む情報収集方法であることを要旨とする。
【発明の効果】
【００１４】
本発明によれば、ユーザの無線端末を利用する場合であっても、正確な無線品質情報を収集できる無線通信システム、無線端末、無線基地局、及び情報収集方法を提供できる。
【図面の簡単な説明】
【００１５】
【図１】本発明の実施形態に係る無線通信システムの概略構成図である。
【図２】本発明の実施形態に係る無線端末の構成を示すブロック図である。
【図３】本発明の実施形態に係る無線基地局の構成を示すブロック図である。
【図４】本発明の実施形態に係る情報収集装置の構成を示すブロック図である。
【図５】本発明の実施形態に係るリファレンス端末登録処理を示すフロー図である。
【図６】本発明の実施形態に係る情報収集処理を示すフロー図である。
【発明を実施するための形態】
【００１６】
次に、図面を参照して、本発明の実施形態を説明する。具体的には、（１）無線通信システムの構成、（２）無線通信システムの動作、（３）実施形態の効果、（４）その他の実施形態について説明する。以下の実施形態における図面の記載において、同一又は類似の部分には同一又は類似の符号を付している。
【００１７】
（１）無線通信システムの構成
まず、本実施形態に係る無線通信システムの構成について説明する。
【００１８】
（１．１）無線通信システムの概略構成
図１は、本実施形態に係る無線通信システム１の概略構成図である。無線通信システム１は、例えば、第３．９世代（３．９G）携帯電話システムであるLTE Release 9に基づく構成、または、第４世代（４Ｇ）携帯電話システムとして位置づけられているLTE-Advancedに基づく構成を有する。
【００１９】
図１に示すように、無線通信システム１は、無線端末１００ａ〜１００ｈ、無線基地局２００ａ〜２００ｃ、及び情報収集装置３００を有する。なお、図１に示す無線端末の数及び無線基地局の数は例示であり、実際には更に多くの無線端末及び無線基地局が無線通信システム１に含まれる。
【００２０】
無線通信システム１においては、広範なサービスエリア（被測定エリア）をセルと呼ばれる通信エリア単位に分割し、通信エリア内の無線端末との無線通信を受け持つ無線基地局を通信エリア毎に設置することで、広範なサービスエリアを面的にカバーしている。
【００２１】
図１の例では、無線基地局２００ａ〜２００ｃは、通信エリアＡ１〜Ａ３をそれぞれ形成している。通信エリアＡ１内には無線端末１００ａ〜１００ｃが位置している。各無線端末１００ａ〜１００ｃは、無線基地局２００ａからの待ち受けを行っている状態（アイドル状態）、又は、無線基地局２００ａを介して通信相手と通信を行っている状態（アクティブ状態）である。通信エリアＡ２内には無線端末１００ｄ〜１００ｆが位置している。各無線端末１００ｄ〜１００ｆは、無線基地局２００ｂからの待ち受けを行っている状態、又は、無線基地局２００ｂを介して通信相手と通信を行っている状態である。通信エリアＡ３内には無線端末１００ｇ，１００ｈが位置している。各無線端末１００ｇ，１００ｈは、無線基地局２００ｃからの待ち受けを行っている状態、又は、無線基地局２００ｃを介して通信相手と通信を行っている状態である。
【００２２】
無線基地局２００ａ〜２００ｃは、有線通信網であるバックホールネットワーク１０に接続されている。バックホールネットワーク１０は通信事業者によって提供され、図示を省略するルータ等により構成される。
【００２３】
情報収集装置３００は、バックホールネットワーク１０に接続されている。情報収集装置３００は、バックホールネットワーク１０を介して無線基地局２００ａ〜２００ｃと通信可能である。情報収集装置３００は、無線端末の位置を示す位置情報と、当該位置における無線品質の測定結果を示す無線品質情報とを収集する。また、情報収集装置３００は、無線通信システム１の加入者に関する情報を管理するセンタとしての機能を有する。
【００２４】
（１．２）無線通信システムの詳細構成
次に、無線端末１００ａ〜１００ｈ、無線基地局２００ａ〜２００ｃ、及び情報収集装置３００の詳細構成について説明する。無線端末１００ａ〜１００ｈは同様に構成されているものとし、無線端末１００ａ〜１００ｈの代表として無線端末１００ａの構成を説明する。無線基地局２００ａ〜２００ｃは同様に構成されているものとし、無線基地局２００ａ〜２００ｃの代表として無線基地局２００ａの構成を説明する。
【００２５】
（１．２．１）無線端末の構成
図２は、無線端末１００ａの構成を示すブロック図である。図２に示すように、無線端末１００ａは、無線通信部１１０、ＧＰＳ（Global Positioning System）受信機１２０、制御部１３０、記憶部１４０、操作受付部１５０、マイクロフォン１６０、スピーカ１７０、表示部１８０、及びバッテリ１９０を有する。
【００２６】
無線通信部１１０は、例えば無線周波数（ＲＦ）回路やベースバンド（ＢＢ）回路等を用いて構成され、無線基地局２００ａと無線信号の送受信を行う。また、無線通信部１１０は、送信信号の符号化及び変調と、受信信号の復調及び復号とを行う。ＧＰＳ受信機１２０は、ＧＰＳ衛星からの信号を受信する。制御部１３０は、例えばＣＰＵを用いて構成され、無線端末１００ａが具備する各種の機能を制御する。記憶部１４０は、例えば揮発性メモリ及び不揮発性メモリを用いて構成され、無線端末１００ａの制御等に用いられる各種の情報を記憶する。
【００２７】
操作受付部１５０は、テンキー、ファンクションキー又はタッチパネルなどを用いて構成され、ユーザからの操作を受け付ける。操作受付部１５０は、通信相手を指定するための操作（電話番号の入力又は選択等）を受け付ける。また、操作受付部１５０は、指定された通信相手への発呼を行うための操作（発呼キー又は決定キーの押下等）を受け付ける。
【００２８】
マイクロフォン１６０は、集音した音声に基づいて音声信号を制御部１３０に入力する。スピーカ１７０は、制御部１３０からの音声信号に基づいて音声を出力する。表示部１８０は、文字や映像を出力するディスプレイである。バッテリ１９０は、無線端末１００ａの各ブロックに供給するための電力を蓄える。
【００２９】
制御部１３０は、発呼処理部１３１、位置測定部１３２、及び無線品質測定部１３３を有する。
【００３０】
発呼処理部１３１は、発呼を行うための操作を操作受付部１５０が受け付けた場合に発呼処理を行う。発呼処理とは、通信相手との呼接続を行う処理であり、主に無線基地局２００ａとの接続を確立するための処理である。
【００３１】
位置測定部１３２は、ＧＰＳ受信機１２０が受信した信号から、無線端末１００ａの地理的な位置を測定する。測定される位置は、経度、緯度及び標高を含むものとするが、経度及び緯度のみとしてもよい。
【００３２】
位置測定部１３２によって測定された位置を示す位置情報は、無線通信部１１０から無線基地局２００ａへ送信される。ここで位置情報は、経度、緯度及び標高等の値でもよく、当該値を計算するための情報でもよい。
【００３３】
無線品質測定部１３３は、無線基地局２００ａとの間の下りリンクの無線品質を測定する。具体的には、無線品質測定部１３３は、発呼処理部１３１が発呼を行う際に、無線通信部１１０が無線基地局２００ａから受信する無線信号（参照信号等）の無線品質を測定する。受信信号強度（ＲＳＳＩ）又は搬送波対干渉雑音比（ＣＩＮＲ）等が無線品質に相当するが、以下においてはＲＳＳＩを無線品質とするケースを想定する。
【００３４】
無線品質測定部１３３によって測定された下りリンクの無線品質を示す情報（以下、下りリンク無線品質情報）は、無線通信部１１０から無線基地局２００ａへ送信される。ここで下りリンク無線品質情報は、無線品質の値でもよく、無線品質のインデックスでもよい。
【００３５】
位置測定部１３２は、無線品質測定部１３３が下りリンクの無線品質を測定する際に、無線端末１００ａの地理的な位置を測定する。例えば、位置測定部１３２は、下りリンクの無線品質の測定直前又は直後、あるいは測定と同時に位置を測定する。以下においては、位置測定部１３２が、下りリンクの無線品質の測定直後に位置を測定するケースを例示する。
【００３６】
なお、本実施形態において、位置測定部１３２及び無線品質測定部１３３は、無線端末の位置と下りリンクの無線品質とを測定する端末側測定部を構成する。また、無線通信部１１０は、測定された位置を示す位置情報と、測定された下りリンクの無線品質を示す下りリンク無線品質情報とを無線基地局２００ａに送信する端末側送信部を構成する。
【００３７】
本実施形態では、記憶部１４０を構成する不揮発性メモリは、無線端末１００ａのＩＤ（以下、端末ＩＤ）と、無線端末１００ａの性能であって無線品質の測定精度に影響を与える端末性能を示す端末性能情報とを予め記憶している。ただし、無線端末のＩＤと端末性能情報とが予め情報収集装置３００に記憶されているケースにおいては、記憶部１４０が端末性能情報を予め記憶していなくてもよい。
【００３８】
ここで、端末性能とは、無線端末１００ａが無線品質を測定する性能、又は、無線端末１００ａが送信電力を調整する性能の少なくとも一方である。具体的には、無線品質を測定する性能とは、無線品質の測定精度であり、無線通信部１１０の性能や制御部１３０の性能に依存する。送信電力を調整する性能とは、送信電力の調整精度であり、無線通信部１１０の性能（主に電力増幅器）や制御部１３０の性能に依存する。
【００３９】
発呼処理部１３１は、発呼時において、記憶部１４０から端末ＩＤを取得する。無線通信部１１０は、取得された端末ＩＤと通信相手の電話番号とを含む呼接続要求を無線基地局２００ａへ送信する。
【００４０】
また、発呼処理部１３１は、無線基地局２００ａからの要求に応じて、記憶部１４０から端末性能情報を取得する。無線通信部１１０は、取得された端末性能情報を無線基地局２００ａへ送信する。
【００４１】
（１．２．２）無線基地局の構成
図３は、無線基地局２００ａの構成を示すブロック図である。図３に示すように、無線基地局２００ａは、無線通信部２１０、有線通信部２２０、制御部２３０、及び記憶部２４０を有する。
【００４２】
無線通信部２１０は、例えばＲＦ回路やＢＢ回路等を用いて構成され、無線端末１００ａと無線信号の送受信を行う。無線通信部２１０は、送信信号の符号化及び変調と、受信信号の復調及び復号とを行う。
【００４３】
本実施形態では、無線通信部２１０は、無線端末１００ａの端末ＩＤと通信相手の電話番号とを含む呼接続要求を無線端末１００ａから受信する。また、無線通信部２１０は、位置情報と下りリンク無線品質情報とを無線端末１００ａから受信する。本実施形態において無線通信部２１０は、基地局側受信部を構成する。
【００４４】
有線通信部２２０は、バックホールネットワーク１０を介して情報収集装置３００との通信を行う。制御部２３０は、例えばＣＰＵを用いて構成され、無線基地局２００ａが具備する各種の機能を制御する。記憶部２４０は、例えばメモリを用いて構成され、無線基地局２００ａの制御等に用いられる各種の情報を記憶する。
【００４５】
制御部２３０は、問合せ部２３１及び無線品質測定部２３２を有する。
【００４６】
問合せ部２３１は、無線通信部２１０が呼接続要求を受信した場合、呼接続要求に含まれる端末ＩＤを取得し、取得した端末ＩＤを用いて、無線端末１００ａがリファレンス端末であるか否かの問合せを情報収集装置３００に対して行う。リファレンス端末とは、位置情報及び上り・下りリンク無線品質情報を収集する対象の無線端末を意味する。すなわち、リファレンス端末以外の無線端末については、位置情報及び上り・下りリンク無線品質情報が収集されない。
【００４７】
無線品質測定部２３２は、無線端末１００ａとの間の上りリンクの無線品質を測定する。具体的には、無線品質測定部１３３は、無線端末１００ａが発呼を行う際に、無線通信部２１０が無線端末１００ａから受信する無線信号（参照信号等）の無線品質を測定する。無線品質測定部２３２によって測定された上りリンクの無線品質を示す情報（以下、上りリンク無線品質情報）は、有線通信部２２０から情報収集装置３００へ送信される。ここで上りリンク無線品質情報は、無線品質の値でもよく、無線品質のインデックスでもよい。
【００４８】
無線端末１００ａがリファレンス端末である場合、有線通信部２２０は、無線通信部２１０が無線端末１００ａから受信した位置情報及び下りリンク無線品質情報と、無線品質測定部２３２により得られた上りリンク無線品質情報とをバックホールネットワーク１０を介して情報収集装置３００に送信する。本実施形態において有線通信部２２０は、基地局側送信部を構成する。
【００４９】
（１．２．３）情報収集装置の構成
図４は、情報収集装置３００の構成を示すブロック図である。図４に示すように、情報収集装置３００は、有線通信部３１０、制御部３２０、記憶部３３０、操作受付部３４０、及び表示部３５０を有する。
【００５０】
有線通信部３１０は、バックホールネットワーク１０を介して無線基地局２００ａとの通信を行う。有線通信部３１０は、リファレンス端末の問合わせを無線基地局２００ａから受信する。有線通信部３１０は、位置情報及び上り・下りリンク無線品質情報を無線基地局２００ａから受信する。
【００５１】
制御部３２０は、例えばＣＰＵを用いて構成され、情報収集装置３００が具備する各種の機能を制御する。記憶部３３０は、例えばメモリを用いて構成され、情報収集装置３００の制御等に用いられる各種の情報を記憶する。記憶部３３０は、リファレンス端末として登録された無線端末の端末ＩＤを記憶する。
【００５２】
また、記憶部３３０は、端末性能情報を端末ＩＤと対応付けて予め記憶していてもよい。例えば、無線端末の出荷時又は購入時において端末性能情報を記憶部３３０に記憶させる。
【００５３】
制御部３２０は、性能情報取得部３２１、登録部３２２、及び収集処理部３２３を有する。
【００５４】
性能情報取得部３２１は、記憶部３３０から端末性能情報を取得する、あるいは、無線端末１００ａから無線基地局２００ａを介して端末性能情報を取得する。
【００５５】
登録部３２２は、性能情報取得部３２１が取得した端末性能情報に基づいて、端末性能が所要の性能以上の無線端末を記憶部３３０に登録する。所要の性能とは、無線品質の測定精度が規定値以上になる程度の性能を意味する。具体的には、無線品質（本実施形態ではＲＳＳＩ）の測定精度が規定値以上である場合、及び／又は、送信電力の精度が規定値以上である場合には、当該無線端末がリファレンス端末として登録される。
【００５６】
収集処理部３２３は、位置情報及び上り・下りリンク無線品質情報を収集するための処理を行う。収集処理部３２３は、登録部３２２がリファレンス端末として登録した無線端末についてのみ位置情報及び上り・下りリンク無線品質情報を収集する。収集処理部３２３によって収集された位置情報及び上り・下りリンク無線品質情報は、記憶部３３０に蓄積される。記憶部３３０は、位置情報及び上り・下りリンク無線品質情報を蓄積するデータベースとして機能する。
【００５７】
登録部３２２は、リファレンス端末を記憶部３３０に登録するとともに、リファレンス端末として登録する無線端末についての端末性能情報を記憶部３３０に登録する。例えば、リファレンス端末として登録する無線端末の端末ＩＤに端末性能情報を対応付けて記憶部３３０に登録する。
【００５８】
収集処理部３２３は、登録された端末性能情報を用いて、収集した無線品質情報を補正又は重み付けする。例えば、収集処理部３２３は、同位置について複数の無線品質情報が存在する場合に、端末性能が比較的低い無線端末を利用して測定された無線品質情報を、端末性能が比較的高い無線端末を利用して測定された無線品質情報で補正する。あるいは、端末性能が比較的高い無線端末を利用して測定された無線品質情報の重みを大きくし、端末性能が比較的低い無線端末を利用して測定された無線品質情報の重みを小さくする。このような補正・重み付けを行うことによって、無線品質情報の精度を更に向上させることができる。
【００５９】
操作受付部３４０は、例えばキーボード及びマウス等を用いて構成され、オペレータからの操作を受け付ける。当該操作は、収集された位置情報及び上り・下りリンク無線品質情報を表示部３５０に表示させる表示操作を含む。表示操作を操作受付部３４０が受け付けた場合、表示部３５０は、位置情報及び上り・下りリンク無線品質情報を表示する。これにより、オペレータは、不感地帯や弱電界地帯を把握することができる。
【００６０】
（２）無線通信システムの動作
次に、無線通信システム１の動作について、リファレンス端末登録処理、情報収集処理の順で説明する。
【００６１】
（２．１）リファレンス端末登録処理
図５は、リファレンス端末登録処理を示すフロー図である。本動作フローでは、端末性能情報が無線端末１００ａに予め記憶されているケースを例示する。
【００６２】
ステップＳ１０１において、無線端末１００ａの発呼処理部１３１は、発呼処理を行う。ここでは、端末購入後の初回の発呼であるとする。
【００６３】
ステップＳ１０２において、無線端末１００ａの無線通信部１１０は、無線端末１００ａの端末ＩＤと通信相手の電話番号とを含む呼接続要求を無線基地局２００ａに送信する。無線基地局２００ａの無線通信部２１０は、呼接続要求を受信する。
【００６４】
ステップＳ１０３において、無線基地局２００ａの問合せ部２３１は、呼接続要求に含まれる端末ＩＤを用いて情報収集装置３００に問い合わせを行う。情報収集装置３００の有線通信部３１０は、無線基地局２００ａからの問い合わせを受信する。
【００６５】
ステップＳ１０４において、情報収集装置３００の制御部３２０は、記憶部３３０を参照して初回の発呼であることを検知する。初回の発呼であることを検知すると、ステップＳ１０５において性能情報取得部３２１は、端末性能情報の要求を有線通信部３１０を介して無線基地局２００ａに送信する。無線基地局２００ａの有線通信部２２０は、端末性能情報の要求を受信する。
【００６６】
ステップＳ１０６において、無線基地局２００ａの無線通信部２１０は、端末性能情報の要求を無線端末１００ａに送信する。無線端末１００ａの無線通信部１１０は、端末性能情報の要求を受信する。端末性能情報の要求を受信すると、無線端末１００ａの制御部１３０は、記憶部１４０から端末性能情報及び端末ＩＤを取得する。
【００６７】
ステップＳ１０７において、無線端末１００ａの無線通信部１１０は、端末性能情報及び端末ＩＤを含む性能情報通知を無線基地局２００ａに送信する。無線基地局２００ａの無線通信部２１０は、性能情報通知を受信する。
【００６８】
ステップＳ１０８において、無線基地局２００ａの有線通信部２２０は、性能情報通知を情報収集装置３００に送信する。情報収集装置３００の有線通信部３１０は、性能情報通知を受信し、性能情報取得部３２１は、性能情報通知から端末性能情報及び端末ＩＤを取得する。
【００６９】
ステップＳ１０９において、情報収集装置３００の登録部３２２は、性能情報取得部３２１が取得した端末性能情報に基づいて、端末性能が所要の性能以上であるかを確認する。端末性能が所要の性能以上であることが確認された場合（ステップＳ１０９；ＹＥＳ）、ステップＳ１１０において登録部３２２は、性能情報取得部３２１が取得した端末ＩＤにリファレンス端末のフラグを付して記憶部３３０に登録する。
【００７０】
（２．２）情報収集処理
図６は、情報収集処理を示すフロー図である。
【００７１】
ステップＳ２０１において、無線端末１００ａの発呼処理部１３１は、発呼処理を行う。ここでは、２回目以降の発呼であるとする。
【００７２】
ステップＳ２０２において、無線端末１００ａの無線通信部１１０は、無線端末１００ａの端末ＩＤと通信相手の電話番号とを含む呼接続要求を無線基地局２００ａに送信する。無線基地局２００ａの無線通信部２１０は、呼接続要求を受信する。以降、無線端末１００ａと無線基地局２００ａとの間で呼接続処理（いわゆる通信ネゴシエーション）が開始される。
【００７３】
呼接続処理中のステップＳ２０３において、無線端末１００ａの無線品質測定部１３３は、下りリンクの無線品質を測定する。同様に、呼接続処理中のステップＳ２０４において、無線基地局２００ａの無線品質測定部２３２は、上りリンクの無線品質を測定する。
【００７４】
ステップＳ２０５において、無線基地局２００ａの問合せ部２３１は、呼接続要求に含まれる端末ＩＤを用いて情報収集装置３００に問い合わせを行う。情報収集装置３００の有線通信部３１０は、無線基地局２００ａからの問い合わせを受信する。
【００７５】
初回発呼でないことが確認された後、ステップＳ２０６において、情報収集装置３００の収集処理部３２３は、問い合わせに含まれる端末ＩＤがリファレンス端末として登録されているかを確認する。リファレンス端末として登録されていることが確認された場合（ステップＳ２０６；ＹＥＳ）、ステップＳ２０７において収集処理部３２３は、問合せ対象の無線端末がリファレンス端末であることを通知するリファレンス端末通知を有線通信部３１０から無線基地局２００ａに送信する。無線基地局２００ａの有線通信部２２０は、リファレンス端末通知を受信する。
【００７６】
リファレンス端末通知を受信すると、ステップＳ２０８において無線基地局２００ａの無線通信部２１０は、位置情報及び下りリンク無線品質情報の要求を無線端末１００ａに送信する。無線端末１００ａの無線通信部１１０は、当該要求を受信する。
【００７７】
当該要求を受信すると、ステップＳ２０９において無線端末１００ａの位置測定部１３２は、無線端末１００ａの位置を測定する。
【００７８】
ステップＳ２１０において、無線端末１００ａの無線通信部１１０は、位置情報及び下りリンク無線品質情報の通知を無線基地局２００ａに送信する。無線基地局２００ａの無線通信部２１０は、当該通知を受信する。
【００７９】
ステップＳ２１１において、無線基地局２００ａの有線通信部２２０は、無線基地局２００ａから受信した位置情報及び下りリンク無線品質情報と、無線品質測定部２３２により得られた上りリンク無線品質情報とを含む通知を情報収集装置３００に送信する。情報収集装置３００の有線通信部３１０は、当該通知を受信する。
【００８０】
ステップＳ２１２において、情報収集装置３００の収集処理部３２３は、無線基地局２００ａから受信した通知に含まれる位置情報及び上り・下りリンク無線品質情報を補正又は重み付けした上で記憶部３３０に記憶させる。
【００８１】
このように、無線端末１００ａは、発呼に伴って実行される呼接続処理の過程で下りリンクの無線品質を測定する。無線基地局２００ａは、呼接続処理の過程で上りリンクの無線品質を測定する。
【００８２】
（３）実施形態の効果
以上説明したように、下りリンク及び上りリンクそれぞれの無線品質が発呼時（具体的には、呼接続処理の過程）において測定される。このため、無線端末が鞄の中にしまい込まれているような状況下で無線品質が測定されることを回避でき、理想的な測定条件で無線品質の測定を行うことが保証される。また、端末性能が高い無線端末と低い無線端末とが混在していている場合でも、端末性能が所要の性能以上の無線端末についてのみ無線品質情報を収集することによって、無線品質の測定精度が保証され、正確な無線品質情報を収集できる。
【００８３】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８４】
例えば、上述した実施形態では、LTE Release 9あるいはLTE-Advancedに基づく無線通信システム１について説明したが、ＷｉＭＡＸ規格（ＩＥＥＥ ８０２．１６）に基づく無線通信システム等の他の無線通信システムに対しても本発明を適用可能である。
【００８５】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８６】
１…無線通信システム、１０…バックホールネットワーク、１００ａ〜１００ｈ…無線端末、１１０…無線通信部、１２０…ＧＰＳ受信機、１３０…制御部、１３１…発呼処理部、１３２…位置測定部、１３３…無線品質測定部、１４０…記憶部、１５０…操作受付部、１６０…マイクロフォン、１７０…スピーカ、１８０…表示部、１９０…バッテリ、２００ａ〜２００ｃ…無線基地局、２１０…無線通信部、２２０…有線通信部、２３０…制御部、２３１…問合せ部、２３２…無線品質測定部、２４０…記憶部、３００…情報収集装置、３１０…有線通信部、３２０…制御部、３２１…性能情報取得部、３２２…登録部、３２３…収集処理部、３３０…記憶部、３４０…操作受付部、３５０…表示部
【図１】
0005576098.tif 000002
【図２】
0005576098.tif 000003
【図３】
0005576098.tif 000004
【図４】
0005576098.tif 000005
【図５】
0005576098.tif 000006
【図６】
0005576098.tif 000007